(57)【特許請求の範囲】
【請求項１】
エンジンと、前記エンジンの運転状態を変更できるアクセル操作具と、を備え、オペレータによる前記アクセル操作具の操作によって走行自在とした作業車両において、
運転座席の近傍にディスプレイを具備し、
前記ディスプレイは、アクセル連動走行を許容するか否かについて選択するための画面を表示でき、
トランスミッションと、前記トランスミッションの作動状態を変更できる変速操作具と、を具備し、
前記ディスプレイは、前記変速操作具の操作位置ごとにアクセル連動走行を許容するか否かについて選択するための画面を表示できる、
ことを特徴とする作業車両。
【請求項２】
前記ディスプレイは、走行している状況でアクセル連動走行を許容しない選択に切り替えることができない、
ことを特徴とする請求項１に記載の作業車両。
【発明の詳細な説明】
【技術分野】
【０００１】
本発明は、作業車両に関する。
【背景技術】
【０００２】
従来、代表的な作業車両であるトラクタが知られている（特許文献１参照）。トラクタは、オペレータによるアクセルペダルの操作によって走行自在としている。また、トラクタは、オペレータによるシフトレバー等の操作によっても走行自在としている。即ち、トラクタは、状況に応じた適宜な操作により走行するのである。
【０００３】
ところで、このようなトラクタは、アクセルペダルの操作とシフトレバー等の操作が同時に行われた場合、走行状態が大きく変動してしまう。そのため、アクセルペダルの操作による走行（以降「アクセル連動走行」とする）を許容するか否かについて選択できるトラクタが提案されていた。しかしながら、かかる選択をするための操作は、オペレータにとって理解しにくく、困難な場合があった。
【先行技術文献】
【特許文献】
【０００４】
【特許文献１】特開２０１３−１８３７０９号公報
【発明の概要】
【発明が解決しようとする課題】
【０００５】
本発明は、オペレータが画面を見ながらアクセル連動走行を許容するか否かについて選択でき、かかる選択をするための操作が容易となる作業車両を提供することを目的としている。
【課題を解決するための手段】
【０００６】
本発明の解決しようとする課題は以上の如くであり、次にこの課題を解決するための手段を説明する。
【０００７】
請求項１に係る発明は、エンジンと、前記エンジンの運転状態を変更できるアクセル操作具と、を備え、オペレータによる前記アクセル操作具の操作によって走行自在とした作業車両において、運転座席の近傍にディスプレイを具備し、前記ディスプレイは、アクセル連動走行を許容するか否かについて選択するための画面を表示でき、トランスミッションと、前記トランスミッションの作動状態を変更できる変速操作具と、を具備し、前記ディスプレイは、前記変速操作具の操作位置ごとにアクセル連動走行を許容するか否かについて選択するための画面を表示できるものである。
【０００８】
請求項２に係る発明は、請求項１に記載した作業車両において、前記ディスプレイは、走行している状況でアクセル連動走行を許容しない選択に切り替えることができないものである。
【発明の効果】
【０００９】
本発明の効果として、以下に示すような効果を奏する。
【００１０】
請求項１に記載の発明によれば、本作業車両は、運転座席の近傍にディスプレイを具備する。そして、ディスプレイは、アクセル連動走行を許容するか否かについて選択するための画面を表示できる。これにより、本作業車両は、オペレータが画面を見ながらアクセル連動走行を許容するか否かについて選択できるので、かかる操作が容易となる。
【００１１】
また、本作業車両は、トランスミッションと、トランスミッションの作動状態を変更できる変速操作具と、を具備する。そして、ディスプレイは、変速操作具の操作位置ごとにアクセル連動走行を許容するか否かについて選択するための画面を表示できる。これにより、本作業車両は、変速操作具の操作位置ごとにアクセル連動走行を許容するか否かについて選択できる。
【００１２】
請求項２に記載の発明によれば、ディスプレイは、走行している状況でアクセル連動走行を許容しない選択に切り替えることができない。これにより、本作業車両は、走行状態が大きく変化するのを防ぐことができる。
【図面の簡単な説明】
【００１３】
【図１】トラクタを示す図。
【図２】図１の矢印Ｘから見た図。
【図３】図１の矢印Ｙから見た図。
【図４】図１の矢印Ｚから見た図。
【図５】トラクタの動力伝達系統を示す図。
【図６】無段変速装置を示す図。
【図７】トラクタの運転座席とその周囲を示す図。
【図８】オペレータの視界を示す図。
【図９】トラクタの情報ネットワークを示す図。
【図１０】ディスプレイを示す図。
【図１１】ディスプレイに関する制御システムを示す図。
【図１２】ディスプレイに表示された画面を示す図。
【図１３】ディスプレイに表示された画面を示す図。
【図１４】ディスプレイに表示された画面を示す図。
【図１５】ディスプレイに表示された画面を示す図。
【図１６】ディスプレイに表示された画面を示す図。
【図１７】ディスプレイに表示された画面を示す図。
【発明を実施するための形態】
【００１４】
本発明の技術的思想は、あらゆる作業車両に適用することが可能である。本願では、代表的な作業車両であるトラクタを用いて説明する。
【００１５】
まず、トラクタ１について簡単に説明する。
【００１６】
図１は、トラクタ１を示している。図２は、図１の矢印Ｘから見た図であり、図３は、図１の矢印Ｙから見た図である。また、図４は、図１の矢印Ｚから見た図である。なお、図中には、トラクタ１の前後方向、左右方向及び上下方向を表す。
【００１７】
トラクタ１は、主に、フレーム１１と、エンジン１２と、トランスミッション１３と、フロントアクスル１４とリヤアクスル１５と、で構成されている。また、トラクタ１は、キャビン１６を備えている。キャビン１６は、その内側が操縦室になっており、運転座席１６１のほか、エンジン１２の運転状態を変更できるアクセル操作具であるアクセルペダル１６２、トランスミッション１３の作動状態を変更できる変速操作具であるシフトレバー１６３などが配置されている（図７参照）。
【００１８】
フレーム１１は、トラクタ１の前部における骨格をなす。フレーム１１は、トランスミッション１３やリヤアクスル１５とともにトラクタ１のシャシを構成する。以下に説明するエンジン１２は、フレーム１１によって支持される。
【００１９】
エンジン１２は、燃料を燃焼させて得た熱エネルギーを運動エネルギーに変換する。つまり、エンジン１２は、燃料を燃やすことによって回転動力を生み出す。なお、エンジン１２には、エンジン制御装置が接続されている（図示せず）。エンジン制御装置は、オペレータがアクセルペダル１６２（図７参照）を操作すると、その操作に応じてエンジン１２の運転状態を変更する。また、エンジン１２には、排気浄化装置１２Ｅが備えられている。排気浄化装置１２Ｅは、排気に含まれる微粒子や一酸化炭素、炭化水素などを酸化させる。
【００２０】
トランスミッション１３は、エンジン１２の回転動力をフロントアクスル１４やリヤアクスル１５に伝達する。トランスミッション１３には、連結機構を介してエンジン１２の回転動力が入力される。なお、トランスミッション１３には、無段変速装置３３が備えられている（図５参照）。無段変速装置３３は、オペレータがシフトレバー１６３（図７参照）を操作すると、その操作に応じてトランスミッション１３の作動状態を変更する。
【００２１】
フロントアクスル１４は、エンジン１２の回転動力をフロントタイヤ１４１に伝達する。フロントアクスル１４には、トランスミッション１３を介してエンジン１２の回転動力が入力される。なお、フロントアクスル１４には、操舵装置が並設されている（図示せず）。操舵装置は、オペレータがハンドル１６４（図７参照）を操作すると、その操作に応じてフロントタイヤ１４１の舵角を変更する。
【００２２】
リヤアクスル１５は、エンジン１２の回転動力をリヤタイヤ１５１に伝達する。リヤアクスル１５には、トランスミッション１３を介してエンジン１２の回転動力が入力される。なお、リヤアクスル１５には、ＰＴＯ出力装置が設けられている（図示せず）。ＰＴＯ出力装置は、オペレータがＰＴＯスイッチ１６５（図７参照）を操作すると、その操作に応じて牽引する作業機械に回転動力を伝達する。
【００２３】
次に、トラクタ１の動力伝達系統について説明する。
【００２４】
図５は、トラクタ１の動力伝達系統を示している。図６は、無段変速装置３３を示している。
【００２５】
トラクタ１の動力伝達系統は、主に、エンジン１２と、トランスミッション１３と、フロントアクスル１４と、リヤアクスル１５と、で構成されている。ここでは、トランスミッション１３の構造に着目して説明する。
【００２６】
トランスミッション１３は、無段変速装置３３と、前後進切換装置３４と、副変速装置３５と、を備えている。
【００２７】
無段変速装置３３は、入力シャフト３３１と出力シャフト３３２の回転速度の比を連続的に変更できる。入力シャフト３３１は、回転自在に支持されたプランジャブロック３３３に連結されている。プランジャブロック３３３は、高圧の作動油を送り出し、油圧ポンプ３３Ｐとしての機能を果たす。出力シャフト３３２は、回転自在に支持されたモータケース３３４に連結されている。モータケース３３４は、高圧の作動油を受けることによって回転し、油圧モータ３３Ｍとして機能を果たす。なお、出力シャフト３３２には、前進駆動ギヤ３３５と後進駆動ギヤ３３６が取り付けられている。
【００２８】
前後進切換装置３４は、前進用クラッチ３４１と後進用クラッチ３４２を互いに独立して作動できる。前進用クラッチ３４１は、前進駆動ギヤ３３５に噛み合う前進従動ギヤ３４３を有している。前進用クラッチ３４１は、作動することにより、出力シャフト３３２の回転動力をセンターシャフト３４５に伝達する。後進用クラッチ３４２は、リバースギヤを介して後進駆動ギヤ３３６に噛み合う後進従動ギヤ３４４を有している。後進用クラッチ３４２は、作動することにより、出力シャフト３３２の回転動力をセンターシャフト３４５に伝達する。なお、センターシャフト３４５には、超低速駆動ギヤ３４６と一速駆動ギヤ３４７と二速駆動ギヤ３４８が取り付けられている。
【００２９】
副変速装置３５は、超低速クラッチ３５１と一速クラッチ３５２と二速クラッチ３５３を互いに独立して作動できる。超低速クラッチ３５１は、超低速駆動ギヤ３４６に噛み合う超低速従動ギヤ３５４を有している。超低速クラッチ３５１は、作動することにより、センターシャフト３４５の回転動力をカウンタシャフト３５７に伝達する。一速クラッチ３５２は、一速駆動ギヤ３４７に噛み合う一速従動ギヤ３５５を有している。一速クラッチ３５２は、作動することにより、センターシャフト３４５の回転動力をカウンタシャフト３５７に伝達する。二速クラッチ３５３は、二速駆動ギヤ３４８に噛み合う二速従動ギヤ３５６を有している。二速クラッチ３５３は、作動することにより、センターシャフト３４５の回転動力をカウンタシャフト３５７に伝達する。なお、カウンタシャフト３５７には、フロントドライブギヤ３５８とリヤドライブギヤ３５９が取り付けられている。
【００３０】
このような構造により、カウンタシャフト３５７の回転動力は、フロントアクスル１４を介してフロントタイヤ１４１に伝達される。また、カウンタシャフト３５７の回転動力は、リヤアクスル１５を介してリヤタイヤ１５１に伝達される。
【００３１】
ところで、無段変速装置３３は、作動状態を変更することにより、出力シャフト３３２の回転速度を変更できる。詳細に説明すると、無段変速装置３３は、クレイドル３３７が可動して作動油の送り出し量を変えることにより、出力シャフト３３２の回転速度を変更できる。従って、トラクタ１は、無段変速装置３３が出力シャフト３３２の回転を止めると、走行状態から停止することとなる。同様に、トラクタ１は、無段変速装置３３が出力シャフト３３２を回転させると、停止状態から走行することとなる（トラクタ１が発進することとなる）。
【００３２】
更に、無段変速装置３３は、エンジン１２の運転状態が変更されることにより、出力シャフト３３２の回転速度が変更されることとなる。詳細に説明すると、無段変速装置３３は、エンジン１２の運転状態が変更されて入力シャフト３３１の回転速度が変わることにより、出力シャフト３３２の回転速度が変更されることとなる。従って、トラクタ１は、アクセルペダル１６２の操作により、走行速度を自在に変えることができるのである。
【００３３】
次に、トラクタ１の操縦室について説明する。
【００３４】
図７は、運転座席１６１とその周囲を示している。また、図８は、オペレータの視界を示している。
【００３５】
上述したように、キャビン１６は、その内側が操縦室になっており、運転座席１６１のほか、アクセルペダル１６２やシフトレバー１６３などが配置されている。また、運転座席１６１の周囲には、ブレーキペダル１６６やクラッチペダル１６７、リバーサレバー１６８、スピードダイヤル１６９、インストルメントパネル１７０、コントロールパネル１７１などが配置されている。オペレータは、運転座席１６１に座った状態でアクセルペダル１６２やシフトレバー１６３などを操作し、トラクタ１を操縦することができる。なお、オペレータがシフトレバー１６３を操作すると、副変速装置３５が作動する。そして、シフトレバー１６３の操作位置（「超低速」、「一速」、「二速」のいずれかの位置）に応じて回転動力が伝達されることとなる。
【００３６】
更に、本トラクタ１においては、運転座席１６１の近傍にディスプレイ２を具備している。ディスプレイ２は、オペレータが右手で操作できるよう、運転座席１６１の右前側に配置されている。以下に、トラクタ１の情報ネットワークについて簡単に説明するとともに、ディスプレイ２及び該ディスプレイ２に関する制御システムについて説明する。
【００３７】
図９は、トラクタ１の情報ネットワークを示している。また、図１０は、ディスプレイ２を示している。そして、図１１は、ディスプレイ２に関する制御システムを示している。
【００３８】
本トラクタ１は、最大限の性能を発揮できるよう、各所に情報ネットワークが張り巡らされている。具体的には、エンジン１２のほか、トランスミッション１３、インストルメントパネル１７０、コントロールパネル１７１、ディスプレイ２が互いに情報を共有できるコントローラ・エリア・ネットワーク（ＣＡＮ）を構成している。
【００３９】
本トラクタ１において、ディスプレイ２は、サイドコンソールの上に配置されている（図７、図８参照）。ディスプレイ２は、液晶パネル２１と、エンコーダダイヤル２２と、エンターボタン２３と、を有している。また、ディスプレイ２は、五つのコマンドボタン２４・２５・２６・２７・２８を有している。
【００４０】
液晶パネル２１は、ディスプレイ２の前面中央に設けられている。液晶パネル２１は、制御装置３からの指示に基づいて所定の画面を表示できる。例えば、液晶パネル２１は、制御装置３からの指示に基づいてオープニング画面Ｓ１を表示できる（図１２参照）。また、液晶パネル２１は、制御装置３からの指示に基づいてその他の画面を表示できる（図１３から図１７参照）。なお、液晶パネル２１は、いわゆるタッチパネルであっても良い。
【００４１】
エンコーダダイヤル２２は、ディスプレイ２の上面右側に設けられている。エンコーダダイヤル２２は、液晶パネル２１に表示された要素の選択に際して、タブをスクロールさせる若しくはハイライトをトラバースさせる旨のオペレータの意思を制御装置３へ伝達できる。例えば、エンコーダダイヤル２２は、表示された数字や英文字の選択に際して、タブをスクロールさせる旨のオペレータの意思を制御装置３へ伝達できる（図１３参照）。また、エンコーダダイヤル２２は、表示されたアイコンの選択に際して、ハイライトをトラバースさせる旨のオペレータの意思を制御装置３へ伝達できる（図１４、図１５参照）。
【００４２】
エンターボタン２３は、エンコーダダイヤル２２と一体的に設けられている。エンターボタン２３は、液晶パネル２１に表示された要素のうち、一の要素を決定した旨のオペレータの意思を制御装置３へ伝達できる。例えば、エンターボタン２３は、表示された数字や英文字のうち、一の数字若しくは英文字を決定した旨のオペレータの意思を制御装置３へ伝達できる（図１３参照）。また、エンターボタン２３は、表示されたアイコンのうち、一のアイコンを決定した旨のオペレータの意思を制御装置３へ伝達できる（図１４、図１５参照）。なお、本ディスプレイ２において、エンターボタン２３は、エンコーダダイヤル２２自体が押し込まれる構造となっているが、該エンコーダダイヤル２２の上端面に押しボタンを設けた構造であっても良い。
【００４３】
コマンドボタン２４・２５・２６は、ディスプレイ２の前面上部に設けられている。コマンドボタン２４・２５・２６は、液晶パネル２１に所定の画面が表示されている場合において、他の画面に切り替える旨のオペレータの意思を制御装置３へ伝達できる。例えば、コマンドボタン２４・２５は、液晶パネル２１にホーム画面Ｓ３が表示されている場合において、ショートカット画面（オペレータが任意に設定した画面）に切り替える旨のオペレータの意思を制御装置３へ伝達できる（図１４参照）。また、コマンドボタン２６は、液晶パネル２１にカスタマイズ画面Ｓ４が表示されている場合において、ホーム画面Ｓ３に切り替える旨のオペレータの意思を制御装置３へ伝達できる（図１５参照）。
【００４４】
コマンドボタン２７も、ディスプレイ２の前面上部に設けられている。具体的には、コマンドボタン２６に隣接した位置に設けられている。コマンドボタン２７は、エンターボタン２３と同様に、一の要素を決定した旨のオペレータの意思を制御装置３へ伝達できる。例えば、コマンドボタン２７は、表示された数字や英文字のうち、一の数字若しくは英文字を決定した旨のオペレータの意思を制御装置３へ伝達できる（図１３参照）。また、コマンドボタン２７は、表示されたアイコンのうち、一のアイコンを決定した旨のオペレータの意思を制御装置３へ伝達できる（図１４、図１５参照）。更に、コマンドボタン２７は、設定事項を記憶する旨のオペレータの意思を制御装置３へ伝達できる（図１６、図１７参照）。
【００４５】
コマンドボタン２８も、ディスプレイ２の前面上部に設けられている。具体的には、コマンドボタン２７に隣接した位置に設けられている。コマンドボタン２８は、液晶パネル２１に所定の画面が表示されている場合において、一つ前の画面に戻る旨のオペレータの意思を制御装置３へ伝達できる。例えば、コマンドボタン２８は、液晶パネル２１にカスタマイズ画面Ｓ４が表示されている場合において、ホーム画面Ｓ３に戻る旨のオペレータの意思を制御装置３へ伝達できる（図１５参照）。また、コマンドボタン２８は、液晶パネル２１に走行カスタマイズ画面Ｓ５・Ｓ６が表示されている場合において、カスタマイズ画面Ｓ４に戻る旨のオペレータの意思を制御装置３へ伝達できる（図１６、図１７参照）。
【００４６】
以下に、アクセル連動走行を許容するか否かについて選択するための方法を説明する。
【００４７】
図１２から図１７は、ディスプレイ２に表示される画面を示している。但し、各図は、本願発明の説明に必要な部分のみを簡略的に表している。
【００４８】
まず、ディスプレイ２には、オープニング画面Ｓ１が表示される（図１２参照）。オープニング画面Ｓ１では、中央付近にシンボルマークＳｍが表示される。シンボルマークＳｍは、サプライヤメーカを象徴する意匠である。シンボルマークＳｍは、黒色の背景画像に浮き上がり、オペレータに強い印象を与える。
【００４９】
次に、ディスプレイ２には、ロック解除画面Ｓ２が表示される（図１３参照）。ロック解除画面Ｓ２では、横一列に暗証番号を入力するためのスクロールボックスＳｂ１・Ｓｂ２・Ｓｂ３・Ｓｂ４が表示される。スクロールボックスＳｂ１・Ｓｂ２・Ｓｂ３・Ｓｂ４は、選択されているいずれか一つがハイライトされる（図中のＨ部参照）。スクロールボックスＳｂ１・Ｓｂ２・Ｓｂ３・Ｓｂ４は、０から９までの数字若しくはＡからＦまでの英文字をスクロールできる。オペレータは、エンコーダダイヤル２２を回すことによって数字若しくは英文字を選択し、エンターボタン２３を押すことによって決定できる。
【００５０】
なお、ロック解除画面Ｓ２においては、コマンドボタン２５・２６を押すことによって数字若しくは英文字を選択し、コマンドボタン２７を押すことによって決定することができる。また、コマンドボタン２８を押すことによって決定を取り消すこともできる。加えて、暗証番号を間違ったときは、その旨のメッセージが表示される。ロック解除画面Ｓ２では、オペレータの氏名が記されたダイアログボックスＤｂ１と、作業予定が記されたダイアログボックスＤｂ２と、が表示される。オペレータは、これらのダイアログボックスＤｂ１・Ｄｂ２から自身の作業予定を把握できる。
【００５１】
次に、ディスプレイ２には、ホーム画面Ｓ３が表示される（図１４参照）。ホーム画面Ｓ３では、上下二列にメニューを選択するためのアイコンＩａ１・Ｉａ２・Ｉａ３・Ｉａ４・・・Ｉａ８が表示される。アイコンＩａ１・Ｉａ２・Ｉａ３・Ｉａ４・・・Ｉａ８は、選択されているいずれか一つがハイライトされる（図中のＨ部参照）。そして、ハイライトは、エンコーダダイヤル２２の回転に応じてトラバースされる。オペレータは、エンコーダダイヤル２２を回すことによって所望のアイコン（Ｉａ１・Ｉａ２・Ｉａ３・Ｉａ４・・・Ｉａ８のいずれか）を選択し、エンターボタン２３を押すことによって決定できる。
【００５２】
なお、ホーム画面Ｓ３においては、コマンドボタン（２４・２５・２６・２７・２８のいずれか）を押すことによってアイコン（Ｉａ１・Ｉａ２・Ｉａ３・Ｉａ４・・・Ｉａ８のいずれか）を選択することはできないが、コマンドボタン２７を押すことによって決定することはできる。また、コマンドボタン２８を押すと、ロック解除画面Ｓ２に戻ることができる。加えて、『前ページ』と記されたボタンＢａ１若しくは『次ページ』と記されたボタンＢａ２を選択して決定したときは、別のホーム画面Ｓ３に切り替わる。選択できないアイコンについては、グレーアウトされる（図中のＧ部参照）。
【００５３】
ここでは、『トラクタ設定』と記されたアイコンＩａ２を選択して決定する。
【００５４】
ディスプレイ２には、カスタマイズ画面Ｓ４が表示される（図１５参照）。カスタマイズ画面Ｓ４では、左右二列にメニューを選択するためのアイコンＩｂ１・Ｉｂ２・Ｉｂ３・Ｉｂ４・・・Ｉｂ８が表示される。アイコンＩｂ１・Ｉｂ２・Ｉｂ３・Ｉｂ４・・・Ｉｂ８は、選択されているいずれか一つがハイライトされる（図中のＨ部参照）。そして、ハイライトは、エンコーダダイヤル２２の回転に応じてトラバースされる。オペレータは、エンコーダダイヤル２２を回すことによって所望のアイコン（Ｉｂ１・Ｉｂ２・Ｉｂ３・Ｉｂ４・・・Ｉｂ８のいずれか）を選択し、エンターボタン２３を押すことによって決定できる。
【００５５】
なお、カスタマイズ画面Ｓ４においては、コマンドボタン（２４・２５・２６・２７・２８のいずれか）を押すことによってアイコン（Ｉｂ１・Ｉｂ２・Ｉｂ３・Ｉｂ４・・・Ｉｂ８のいずれか）を選択することはできないが、コマンドボタン２７を押すことによって決定することはできる。また、コマンドボタン２８を押すと、ホーム画面Ｓ３に戻ることができる。加えて、『前ページ』と記されたボタンＢｂ１若しくは『次ページ』と記されたボタンＢｂ２を選択して決定したときは、別のカスタマイズ画面Ｓ４に切り替わる。選択できないアイコンについては、グレーアウトされる（図示せず）。
【００５６】
次に、カスタマイズ画面Ｓ４における『走行』と記されたアイコンＩｂ１を選択し、決定した場合を想定する。
【００５７】
ディスプレイ２には、走行カスタマイズ画面Ｓ５が表示される（図１６参照）。走行カスタマイズ画面Ｓ５では、シフトレバー１６３の操作位置（「超低速」、「一速」、「二速」の位置）ごとに加速特性を調節することができる。走行カスタマイズ画面Ｓ５では、上下に三つのスライドバーＳｃ１・Ｓｃ２・Ｓｃ３が表示される。以降に、各スライドバーＳｃ１・Ｓｃ２・Ｓｃ３の意味について具体的に説明する。
【００５８】
スライドバーＳｃ１は、シフトレバー１６３の操作位置が「超低速」であるときの加速特性を調節可能とした部分である。スライドバーＳｃ１は、左端側が遅鈍な加速特性になる方向であり、右端側が鋭敏な加速特性になる方向である。また、スライドバーＳｃ１の略中央部では、矢印Ａｃが標準状態となる位置を指し示している。従って、スライドバーＳｃ１のインジケータＩｃ１が矢印Ａｃよりも左側にある場合は、標準状態よりも遅鈍な加速特性が実現され、オペレータの操作に対してゆっくり加速していくこととなる。反対に、スライドバーＳｃ１のインジケータＩｃ１が矢印Ａｃよりも右側にある場合は、標準状態よりも鋭敏な加速特性が実現され、オペレータの操作に対して素早く加速していくこととなる。オペレータは、エンコーダダイヤル２２を回すことによってインジケータＩｃ１を伸張又は短縮し、エンターボタン２３を押すことによって決定できる。
【００５９】
スライドバーＳｃ２は、シフトレバー１６３の操作位置が「一速」であるときの加速特性を調節可能とした部分である。スライドバーＳｃ２は、左端側が遅鈍な加速特性になる方向であり、右端側が鋭敏な加速特性になる方向である。また、スライドバーＳｃ２の略中央部では、矢印Ａｃが標準状態となる位置を指し示している。従って、スライドバーＳｃ２のインジケータＩｃ２が矢印Ａｃよりも左側にある場合は、標準状態よりも遅鈍な加速特性が実現され、オペレータの操作に対してゆっくり加速していくこととなる。反対に、スライドバーＳｃ２のインジケータＩｃ２が矢印Ａｃよりも右側にある場合は、標準状態よりも鋭敏な加速特性が実現され、オペレータの操作に対して素早く加速していくこととなる。オペレータは、エンコーダダイヤル２２を回すことによってインジケータＩｃ２を伸張又は短縮し、エンターボタン２３を押すことによって決定できる。
【００６０】
スライドバーＳｃ３は、シフトレバー１６３の操作位置が「二速」であるときの加速特性を調節可能とした部分である。スライドバーＳｃ３は、左端側が遅鈍な加速特性になる方向であり、右端側が鋭敏な加速特性になる方向である。また、スライドバーＳｃ３の略中央部では、矢印Ａｃが標準状態となる位置を指し示している。従って、スライドバーＳｃ３のインジケータＩｃ３が矢印Ａｃよりも左側にある場合は、標準状態よりも遅鈍な加速特性が実現され、オペレータの操作に対してゆっくり加速していくこととなる。反対に、スライドバーＳｃ３のインジケータＩｃ３が矢印Ａｃよりも右側にある場合は、標準状態よりも鋭敏な加速特性が実現され、オペレータの操作に対して素早く加速していくこととなる。オペレータは、エンコーダダイヤル２２を回すことによってインジケータＩｃ２を伸張又は短縮し、エンターボタン２３を押すことによって決定できる。
【００６１】
なお、走行カスタマイズ画面Ｓ５においては、コマンドボタン（２４・２５・２６・２７・２８のいずれか）を押すことによってインジケータＩｃ１・Ｉｃ２・Ｉｃ３を伸張又は短縮することはできないが、コマンドボタン２７を押すことによって決定することはできる。また、ダイアログボックスＤｃには、操作方法についての説明が記される。コマンドボタン２８を押すと、カスタマイズ画面Ｓ４に戻ることができる。
【００６２】
次に、走行カスタマイズ画面Ｓ５における『次ページ』と記されたボタンＢｃ２を選択し、決定した場合を想定する。
【００６３】
ディスプレイ２には、走行カスタマイズ画面Ｓ６が表示される（図１７参照）。走行カスタマイズ画面Ｓ６では、シフトレバー１６３の操作位置（本トラクタ１では「超低速」と「一速」の位置）ごとにアクセル連動走行を許容するか否かについて選択することができる。走行カスタマイズ画面Ｓ６では、上下に二つのセレクトスイッチＳｄ１・Ｓｄ２が表示される。以降に、各セレクトスイッチＳｄ１・Ｓｄ２の意味について具体的に説明する。なお、本トラクタ１において、シフトレバー１６３の操作位置が「二速」であるときは、アクセル連動走行を許容することが予め定められている。
【００６４】
セレクトスイッチＳｄ１は、シフトレバー１６３の操作位置が「超低速」であるときのアクセル連動走行を許容するか否かについて選択可能とした部分である。セレクトスイッチＳｄ１が『ＯＮ』である場合は、所定のプログラムが実行され、アクセル連動走行が実現する。つまり、セレクトスイッチＳｄ１が『ＯＮ』である場合は、アクセルペダル１６２の操作に応じて走行状態が変化する制御態様となるのである。一方、セレクトスイッチＳｄ１が『ＯＦＦ』である場合は、所定のプログラムが実行されず、アクセル連動走行が実現しない。つまり、セレクトスイッチＳｄ１が『ＯＦＦ』である場合は、アクセルペダル１６２を操作しても走行状態が変化しない制御態様となるのである。オペレータは、エンコーダダイヤル２２を回すことによって『ＯＮ』又は『ＯＦＦ』のいずれかを選択し、エンターボタン２３を押すことによって決定できる。なお、走行している状況において、アクセル連動走行を許容しない選択に切り替えることはできない。これは、走行状態が大きく変化するのを防ぐためである。
【００６５】
セレクトスイッチＳｄ２は、シフトレバー１６３の操作位置が「低速」であるときのアクセル連動走行を許容するか否かについて選択可能とした部分である。セレクトスイッチＳｄ２が『ＯＮ』である場合は、所定のプログラムが実行され、アクセル連動走行が実現する。つまり、セレクトスイッチＳｄ２が『ＯＮ』である場合は、アクセルペダル１６２の操作に応じて走行状態が変化する制御態様となるのである。一方、セレクトスイッチＳｄ２が『ＯＦＦ』である場合は、所定のプログラムが実行されず、アクセル連動走行が実現しない。つまり、セレクトスイッチＳｄ２が『ＯＦＦ』である場合は、アクセルペダル１６２を操作しても走行状態が変化しない制御態様となるのである。オペレータは、エンコーダダイヤル２２を回すことによって『ＯＮ』又は『ＯＦＦ』のいずれかを選択し、エンターボタン２３を押すことによって決定できる。なお、走行している状況において、アクセル連動走行を許容しない選択に切り替えることはできない。これは、走行状態が大きく変化するのを防ぐためである。
【００６６】
このように、本トラクタ１（作業車両）は、運転座席１６１の近傍にディスプレイ２を具備する。そして、ディスプレイ２は、アクセル連動走行を許容するか否かについて選択するための画面（走行カスタマイズ画面Ｓ６）を表示できる。これにより、本トラクタ１（作業車両）は、オペレータが画面（走行カスタマイズ画面Ｓ６）を見ながらアクセル連動走行を許容するか否かについて選択できるので、かかる操作が容易となる。
【００６７】
更に詳細に説明すると、ディスプレイ２は、シフトレバー１６３の操作位置ごとにアクセル連動走行を許容するか否かについて選択するための画面（走行カスタマイズ画面Ｓ６）を表示できる。これにより、本トラクタ１（作業車両）は、シフトレバー１６３の操作位置ごとにアクセル連動走行を許容するか否かについて選択できる。
【００６８】
なお、走行カスタマイズ画面Ｓ６においては、コマンドボタン（２４・２５・２６・２７・２８のいずれか）を押すことによってセレクトスイッチＳｄ１・Ｓｄ２を切り換えることはできないが、コマンドボタン２７を押すことによって決定することはできる。また、ダイアログボックスＤｄには、操作方法についての説明が記される。コマンドボタン２８を押すと、カスタマイズ画面Ｓ４に戻ることができる。更に、『前ページ』と記されたボタンＢｄ１を選択して決定すると、走行カスタマイズ画面Ｓ５に戻ることができる。『次ページ』と記されたボタンＢｄ２を選択して決定すると、別の走行カスタマイズ画面に切り替わる。
【００６９】
１          トラクタ（作業車両）
１１        フレーム
１２        エンジン
１３        トランスミッション
１４        フリントアクスル
１５        リヤアクスル
１６        キャビン
２          ディスプレイ
２１        液晶パネル
２２        エンコーダダイヤル
２３        エンターボタン
２４        コマンドボタン
２５        コマンドボタン
２６        コマンドボタン
２７        コマンドボタン
２８        コマンドボタン
３３        無段変速装置
１６１      運転座席
１６２      アクセルペダル
１６３      シフトレバー
Ｓ６        走行カスタマイズ画面
Ｓｄ１      セレクトスイッチ
Ｓｄ２      セレクトスイッチ
Ｄｄ        ダイアログボックス
【図１】
0006376657.tif 000002
【図２】
0006376657.tif 000003
【図３】
0006376657.tif 000004
【図４】
0006376657.tif 000005
【図５】
0006376657.tif 000006
【図６】
0006376657.tif 000007
【図７】
0006376657.tif 000008
【図８】
0006376657.tif 000009
【図９】
0006376657.tif 000010
【図１０】
0006376657.tif 000011
【図１１】
0006376657.tif 000012
【図１２】
0006376657.tif 000013
【図１３】
0006376657.tif 000014
【図１４】
0006376657.tif 000015
【図１５】
0006376657.tif 000016
【図１６】
0006376657.tif 000017
【図１７】
0006376657.tif 000018